(57)【要約】      （修正有）【課題】簡易な手法で表示装置が正確にキャリブレーションされているか否かを確認する。【解決手段】表示装置のキャリブレーション状態確認装置においてキャリブレーション間隔設定時間を表示装置の種類に応じて予め設定する設定手段と、使用時間累積測定手段と、キャリブレーション間隔設定時間を経過したか否かの判断手段と、経過したと判断した場合に三原色ＲＧＢの階調値の組み合わせにより明るさ及び色が均一に指定された均一パターンを生成する均一パターン生成手段と、三原色ＲＧＢがそれぞれ最小階調値をもつ第１副領域と、三原色ＲＧＢがそれぞれ最大階調値をもつ第２副領域とを所定の面積比で混在させた参照パターン生成手段と、表示装置の画面上に第１領域と第２領域とによって構成されるテストパターンを定義し、第１領域内には均一パターンを、第２領域内には参照パターンを、テストパターンとして表示させるよう制御する表示制御手段とを有する。【選択図】図１
2007101901.tif 000002
【特許請求の範囲】
【請求項１】
表示装置のキャリブレーション状態を確認するキャリブレーション状態確認装置において、
前記キャリブレーションを実行してから次回前記キャリブレーションを実行するまでの時間としてのキャリブレーション間隔設定時間を、前記表示装置の種類に応じて予め設定指示される設定手段と、
前記表示装置の使用時間を累積測定する使用時間累積測定手段と、
前記表示装置の使用時間が、前記予め設定指示されたキャリブレーション間隔設定時間を経過したか否かを判断する判断手段と、
前記判断手段により前記表示装置の使用時間が前記予め設定指示されたキャリブレーション間隔設定時間を経過したと判断した場合に、三原色ＲＧＢの階調値の組み合わせにより明るさ及び色が均一に指定された均一パターンを生成する均一パターン生成手段と、
三原色ＲＧＢがそれぞれ最小階調値をもつ第１副領域と、三原色ＲＧＢがそれぞれ最大階調値をもつ第２副領域と、を所定の面積比で混在させた参照パターンを生成する参照パターン生成手段と、
前記表示装置の画面上に前記第１領域と前記第２領域とによって構成されるテストパターンを定義し、前記第１領域内には前記均一パターンを、前記第２領域内には前記参照パターンを、前記テストパターンとして表示させるよう制御する表示制御手段と、
を有すること特徴とするキャリブレーション状態確認装置。
【請求項２】
表示装置のキャリブレーション状態を確認するキャリブレーション状態確認装置において、
前記表示装置がネットワークを介して所定の画像を受信して前記画像を表示した場合に、
三原色ＲＧＢの階調値の組み合わせにより明るさ及び色が均一に指定された均一パターンを生成する均一パターン生成手段と、
三原色ＲＧＢがそれぞれ最小階調値をもつ第１副領域と、三原色ＲＧＢがそれぞれ最大階調値をもつ第２副領域と、を所定の面積比で混在させた参照パターンを生成する参照パターン生成手段と、
前記表示装置の画面上に前記第１領域と前記第２領域とによって構成されるテストパターンを定義し、前記第１領域内には前記均一パターンを、前記第２領域内には前記参照パターンを、前記テストパターンとして表示させるよう制御する表示制御手段と、
を有すること特徴とするキャリブレーション状態確認装置。
【請求項３】
請求項２に記載のキャリブレーション状態確認装置において、
前記キャリブレーションを実行してから次回前記キャリブレーションを実行するまでの時間としてのキャリブレーション間隔設定時間を、前記表示装置の種類に応じて予め設定指示される設定手段と、
前記表示装置の使用時間を累積測定する使用時間累積測定手段と、
前記表示装置の使用時間が、前記予め設定指示されたキャリブレーション間隔設定時間を経過したか否かを判断する判断手段と、
を更に有することを特徴とするキャリブレーション状態確認装置。
【請求項４】
請求項１又は請求項３に記載のキャリブレーション状態確認装置において、
前記使用時間累積測定手段は、前記表示装置に具備された照明手段が点灯状態の場合には、前記使用時間を累積測定することを特徴とするキャリブレーション状態確認装置。
【請求項５】
請求項１乃至４のいずれか一項に記載の表示装置のキャリブレーション状態確認装置を含むキャリブレーション制御装置において、
前記表示制御手段により前記表示装置の画面上に表示された前記テストパターンを目視する利用者により、前記第１領域と前記第２領域との明るさ及び色が一致してないと入力指示された場合に、前記表示装置のキャリブレーション制御を実行するキャリブレーション実行手段を更に有することを特徴とするキャリブレーション制御装置。
【請求項６】
表示装置のキャリブレーション状態を確認するキャリブレーション状態確認方法において、
前記キャリブレーションを実行してから次回前記キャリブレーションを実行するまでの時間としてのキャリブレーション間隔設定時間を、前記表示装置の種類に応じて予め設定指示される設定工程と、
前記表示装置の使用時間を累積測定する使用時間累積測定工程と、
前記表示装置の使用時間が、前記予め設定指示されたキャリブレーション間隔設定時間を経過したか否かを判断する判断工程と、
前記判断工程により前記表示装置の使用時間が前記予め設定指示されたキャリブレーション間隔設定時間を経過したと判断した場合に、三原色ＲＧＢの階調値の組み合わせにより明るさ及び色が均一に指定された均一パターンを生成する均一パターン生成工程と、
三原色ＲＧＢがそれぞれ最小階調値をもつ第１副領域と、三原色ＲＧＢがそれぞれ最大階調値をもつ第２副領域と、を所定の面積比で混在させた参照パターンを生成する参照パターン生成工程と、
前記表示装置の画面上に前記第１領域と前記第２領域とによって構成されるテストパターンを定義し、前記第１領域内には前記均一パターンを、前記第２領域内には前記参照パターンを、前記テストパターンとして表示させるよう制御する表示制御工程と、
を有すること特徴とするキャリブレーション状態確認方法。
【請求項７】
表示装置のキャリブレーション状態を確認するキャリブレーション状態確認方法において、
前記表示装置がネットワークを介して所定の画像を受信して前記画像を表示した場合に、
三原色ＲＧＢの階調値の組み合わせにより明るさ及び色が均一に指定された均一パターンを生成する均一パターン生成工程と、
三原色ＲＧＢがそれぞれ最小階調値をもつ第１副領域と、三原色ＲＧＢがそれぞれ最大階調値をもつ第２副領域と、を所定の面積比で混在させた参照パターンを生成する参照パターン生成工程と、
前記表示装置の画面上に前記第１領域と前記第２領域とによって構成されるテストパターンを定義し、前記第１領域内には前記均一パターンを、前記第２領域内には前記参照パターンを、前記テストパターンとして表示させるよう制御する表示制御工程と、
を有すること特徴とするキャリブレーション状態確認方法。
【請求項８】
請求項７に記載のキャリブレーション状態確認方法において、
前記キャリブレーションを実行してから次回前記キャリブレーションを実行するまでの時間としてのキャリブレーション間隔設定時間を、前記表示装置の種類に応じて予め設定指示される設定工程と、
前記表示装置の使用時間を累積測定する使用時間累積測定工程と、
前記表示装置の使用時間が、前記予め設定指示されたキャリブレーション間隔設定時間を経過したか否かを判断する判断工程と、
を更に有することを特徴とするキャリブレーション状態確認方法。
【請求項９】
請求項６又は請求項８に記載のキャリブレーション状態確認方法において、
前記使用時間累積測定工程は、前記表示装置に具備された照明手段が点灯状態の場合には、前記使用時間を累積測定することを特徴とするキャリブレーション状態確認方法。
【請求項１０】
請求項６乃至１０のいずれか一項に記載の表示装置のキャリブレーション状態確認装置を含むキャリブレーション制御方法において、
前記表示制御工程により前記表示装置の画面上に表示された前記テストパターンを目視する利用者により、前記第１領域と前記第２領域との明るさ及び色が一致してないと入力指示された場合に、前記表示装置のキャリブレーション制御を実行するキャリブレーション実行工程を更に有することを特徴とするキャリブレーション制御方法。
【発明の詳細な説明】
【技術分野】
【０００１】
本発明は、キャリブレーション状態確認装置等に関し、さらに具体的には所定の表示装置が正確にキャリブレーションされているか否かを確認することができるキャリブレーション状態確認装置等に関する。
【背景技術】
【０００２】
近年、スキャナ、デジタルカメラ等の入力装置、モニタ等の表示装置、プリンタ等の出力装置において表現される画像の色・階調再現特性を、どのデバイスで表現しても同一にするために、カラーマネジメントという技術が一般的に用いられている。当該カラーマネジメントでは、デバイスを所定の状態にキャリブレーションし、その特性をファイルに記述する方法が一般的である。また、ICC(International Color Consortium)という団体が、カラーマネジメントの標準化を進めており、ICCの提唱するカラーマネジメントでは、特性ファイルのことをプロファイルと呼ぶ。
【０００３】
ここで特に、モニタ等の表示装置のキャリブレーション手法としては、例えば、特許文献１に記載のような方法が知られており、表示装置のキャリブレーションを行うことによって、正確な色で画像を表示装置に表示することが可能となる。    
【特許文献１】特開２０００−２９４４４号公報
【発明の開示】
【発明が解決しようとする課題】
【０００４】
しかしながら、表示装置を利用する利用者が実際に表示装置を使用する際、その表示装置がキャリブレーションされているかを知ることは困難であるという問題が生じていた。また、表示装置がキャリブレーションされていたとしても、表示装置を長時間使用すると、経時変化による劣化によって、階調再現特性が変化するため、使用時に正確にキャリブレーションされているとは限らず、表示装置上に表示された画像の色が正確なものであるという保障がないということが問題となっていた。
【０００５】
本発明は、このような問題に鑑みなされたものであり、簡易な手法で、表示装置が正確にキャリブレーションされているか否かを確認することができるキャリブレーション状態確認装置等を提供することを目的とする。
【課題を解決するための手段】
【０００６】
上記課題を解決するための請求項１に記載の発明は、表示装置のキャリブレーション状態を確認するキャリブレーション状態確認装置において、前記キャリブレーションを実行してから次回前記キャリブレーションを実行するまでの時間としてのキャリブレーション間隔設定時間を、前記表示装置の種類に応じて予め設定指示される設定手段と、前記表示装置の使用時間を累積測定する使用時間累積測定手段と、前記表示装置の使用時間が、前記予め設定指示されたキャリブレーション間隔設定時間を経過したか否かを判断する判断手段と、前記判断手段により前記表示装置の使用時間が前記予め設定指示されたキャリブレーション間隔設定時間を経過したと判断した場合に、三原色ＲＧＢの階調値の組み合わせにより明るさ及び色が均一に指定された均一パターンを生成する均一パターン生成手段と、原色ＲＧＢがそれぞれ最小階調値をもつ第１副領域と、三原色ＲＧＢがそれぞれ最大階調値をもつ第２副領域と、を所定の面積比で混在させた参照パターンを生成する参照パターン生成手段と、前記表示装置の画面上に前記第１領域と前記第２領域とによって構成されるテストパターンを定義し、前記第１領域内には前記均一パターンを、前記第２領域内には前記参照パターンを、前記テストパターンとして表示させるよう制御する表示制御手段と、を有すること特徴とする。
【０００７】
これによれば、表示装置の使用時間がキャリブレーション間隔設定時間を経過した場合にテストパターンを表示させることにより、定期的に表示装置のキャリブレーション状態を確認できるため、表示装置が正確にキャリブレーションされているか否かを確認することができる。よって、表示装置のキャリブレーション状態を正確に維持することが可能となる。
【０００８】
また、表示装置の種類に応じてキャリブレーション間隔設定時間が設定できるため、表示装置の種類に応じてキャリブレーション状態を正確に維持することができる。
【０００９】
上記課題を解決するための請求項２に記載の発明は、表示装置のキャリブレーション状態を確認するキャリブレーション状態確認装置において、前記表示装置がネットワークを介して所定の画像を受信して前記画像を表示した場合に、三原色ＲＧＢの階調値の組み合わせにより明るさ及び色が均一に指定された均一パターンを生成する均一パターン生成手段と、三原色ＲＧＢがそれぞれ最小階調値をもつ第１副領域と、三原色ＲＧＢがそれぞれ最大階調値をもつ第２副領域と、を所定の面積比で混在させた参照パターンを生成する参照パターン生成手段と、前記表示装置の画面上に前記第１領域と前記第２領域とによって構成されるテストパターンを定義し、前記第１領域内には前記均一パターンを、前記第２領域内には前記参照パターンを、前記テストパターンとして表示させるよう制御する表示制御手段と、を有すること特徴とする。
【００１０】
これによれば、表示装置がネットワークを介して所定の画像を受信して画像を表示した場合に、テストパターンを作成し、作成されたテストパターンを表示装置の表示部に表示させることによって、表示装置がネットワークを介して所定の画像を受信して画像を表示したタイミングで、商品の色が表示装置上で正確に表現されているか否か（表示装置が正確にキャリブレーションされているか否か）を確認することができる。よって、商品の色が表示装置上で正確に表現されているか否かを確認することができる。
【００１１】
上記課題を解決するための請求項３に記載の発明は、請求項２に記載のキャリブレーション状態確認装置において、前記キャリブレーションを実行してから次回前記キャリブレーションを実行するまでの時間としてのキャリブレーション間隔設定時間を、前記表示装置の種類に応じて予め設定指示される設定手段と、前記表示装置の使用時間を累積測定する使用時間累積測定手段と、前記表示装置の使用時間が、前記予め設定指示されたキャリブレーション間隔設定時間を経過したか否かを判断する判断手段と、を更に有することを特徴とする。
【００１２】
これによれば、表示装置の使用時間が予め表示装置の種類に応じて設定されたキャリブレーション間隔設定時間を経過し、かつ、表示装置がネットワークを介して所定の画像を受信して画像を表示した場合に、テストパターンを作成し、作成されたテストパターンを表示装置に表示させることによって、表示装置の種類に応じて定期的に表示装置が正確にキャリブレーションされているか否かを確認することができることに加えて、表示装置がネットワークを介して所定の画像を受信して画像を表示したタイミングで、商品の色が表示装置上で正確に表現されているか否か（表示装置が正確にキャリブレーションされているか否か）を確認することができる。よって、商品の色が表示装置上で正確に表現されているか否かを確認することができる。
【００１３】
上記課題を解決するための請求項４に記載の発明は、請求項１又は請求項３に記載のキャリブレーション状態確認装置において、前記使用時間累積測定手段は、前記表示装置に具備された照明手段が点灯状態の場合には、前記使用時間を累積測定することを特徴とする。
【００１４】
これによれば、表示装置の種類に応じて照明手段が点灯状態にある場合に使用時間累積測定手段により使用時間を累積測定するか否かを設定することができるため、表示装置の種類に応じて正確にキャリブレーション状態を維持することができる。
【００１５】
上記課題を解決するための請求項５に記載の発明は、請求項１乃至４のいずれか一項に記載の表示装置のキャリブレーション状態確認装置を含むキャリブレーション制御装置において、前記表示制御手段により前記表示装置の画面上に表示された前記テストパターンを目視する利用者により、前記第１領域と前記第２領域との明るさ及び色が一致してないと入力指示された場合に、前記表示装置のキャリブレーション制御を実行するキャリブレーション実行手段を更に有することを特徴とする。
【００１６】
これによれば、表示装置の使用時間がキャリブレーション間隔設定間隔を経過した場合にテストパターンを表示させることにより、定期的に表示装置のキャリブレーション状態を確認できるため、表示装置が正確にキャリブレーションされているか否かを確認することができ、正確にキャリブレーションされていないと判断された場合には、更に、正確な表示装置のキャリブレーション状態を維持するためにキャリブレーションを実行することができるため、表示装置を正確な表示装置のキャリブレーション状態を維持することが可能となる。
【００１７】
上記課題を解決するための請求項６に記載の発明は、表示装置のキャリブレーション状態を確認するキャリブレーション状態確認方法において、前記キャリブレーションを実行してから次回前記キャリブレーションを実行するまでの時間としてのキャリブレーション間隔設定時間を、前記表示装置の種類に応じて予め設定指示される設定工程と、前記表示装置の使用時間を累積測定する使用時間累積測定工程と、前記表示装置の使用時間が、前記予め設定指示されたキャリブレーション間隔設定時間を経過したか否かを判断する判断工程と、前記判断工程により前記表示装置の使用時間が前記予め設定指示されたキャリブレーション間隔設定時間を経過したと判断した場合に、三原色ＲＧＢの階調値の組み合わせにより明るさ及び色が均一に指定された均一パターンを生成する均一パターン生成工程と、三原色ＲＧＢがそれぞれ最小階調値をもつ第１副領域と、三原色ＲＧＢがそれぞれ最大階調値をもつ第２副領域と、を所定の面積比で混在させた参照パターンを生成する参照パターン生成工程と、前記表示装置の画面上に前記第１領域と前記第２領域とによって構成されるテストパターンを定義し、前記第１領域内には前記均一パターンを、前記第２領域内には前記参照パターンを、前記テストパターンとして表示させるよう制御する表示制御工程と、を有すること特徴とする。
【００１８】
これによれば、表示装置の使用時間がキャリブレーション間隔設定時間を経過した場合にテストパターンを表示させることにより、定期的に表示装置のキャリブレーション状態を確認できるため、表示装置が正確にキャリブレーションされているか否かを確認することができる。よって、表示装置のキャリブレーション状態を正確に維持することが可能となる。
【００１９】
また、表示装置の種類に応じてキャリブレーション間隔設定時間が設定できるため、表示装置の種類に応じてキャリブレーション状態を正確に維持することができる。
【００２０】
上記課題を解決するための請求項７に記載の発明は、表示装置のキャリブレーション状態を確認するキャリブレーション状態確認方法において、前記表示装置がネットワークを介して所定の画像を受信して前記画像を表示した場合に、三原色ＲＧＢの階調値の組み合わせにより明るさ及び色が均一に指定された均一パターンを生成する均一パターン生成工程と、三原色ＲＧＢがそれぞれ最小階調値をもつ第１副領域と、三原色ＲＧＢがそれぞれ最大階調値をもつ第２副領域と、を所定の面積比で混在させた参照パターンを生成する参照パターン生成工程と、前記表示装置の画面上に前記第１領域と前記第２領域とによって構成されるテストパターンを定義し、前記第１領域内には前記均一パターンを、前記第２領域内には前記参照パターンを、前記テストパターンとして表示させるよう制御する表示制御工程と、を有すること特徴とする。
【００２１】
これによれば、表示装置がネットワークを介して所定の画像を受信して画像を表示した場合に、テストパターンを作成し、作成されたテストパターンを表示装置に表示させることによって、表示装置がネットワークを介して所定の画像を受信して画像を表示したタイミングで、商品の色が表示装置上で正確に表現されているか否か（表示装置が正確にキャリブレーションされているか否か）を確認することができる。よって、商品の色が表示装置上で正確に表現されているか否かを確認した後に商品を購入することができる。
【００２２】
上記課題を解決するための請求項８に記載の発明は、請求項７に記載のキャリブレーション状態確認方法において、前記キャリブレーションを実行してから次回前記キャリブレーションを実行するまでの時間としてのキャリブレーション間隔設定時間を、前記表示装置の種類に応じて予め設定指示される設定工程と、前記表示装置の使用時間を累積測定する使用時間累積測定工程と、前記表示装置の使用時間が、前記予め設定指示されたキャリブレーション間隔設定時間を経過したか否かを判断する判断工程と、を更に有することを特徴とする。
【００２３】
これによれば、表示装置の使用時間が予め表示装置の種類に応じて設定されたキャリブレーション間隔設定時間を経過し、かつ、表示装置がネットワークを介して所定の画像を受信して画像を表示した場合に、テストパターンを作成し、作成されたテストパターンを表示装置に表示させることによって、表示装置の種類に応じて定期的に表示装置が正確にキャリブレーションされているか否かを確認することができることに加えて、表示装置がネットワークを介して所定の画像を受信して画像を表示したタイミングで、商品の色が表示装置上で正確に表現されているか否か（表示装置が正確にキャリブレーションされているか否か）を確認することができる。よって、商品の色が表示装置上で正確に表現されているか否かを確認することができる。
【００２４】
上記課題を解決するための請求項９に記載の発明は、請求項６又は請求項８に記載のキャリブレーション状態確認方法において、前記使用時間累積測定工程は、前記表示装置に具備された照明手段が点灯状態の場合には、前記使用時間を累積測定することを特徴とする。
【００２５】
これによれば、表示装置の種類に応じて照明手段が点灯状態にある場合に使用時間累積測定手段により使用時間を累積測定するか否かを設定することができるため、表示装置の種類に応じて正確にキャリブレーション状態を維持することができる。
【００２６】
上記課題を解決するための請求項１０に記載の発明は、請求項６乃至１０のいずれか一項に記載の表示装置のキャリブレーション状態確認装置を含むキャリブレーション制御方法において、前記表示制御工程により前記表示装置の画面上に表示された前記テストパターンを目視する利用者により、前記第１領域と前記第２領域との明るさ及び色が一致してないと入力指示された場合に、前記表示装置のキャリブレーション制御を実行するキャリブレーション実行工程を更に有することを特徴とする。
【００２７】
これによれば、表示装置の使用時間がキャリブレーション間隔設定間隔を経過した場合にテストパターンを表示させることにより、定期的に表示装置のキャリブレーション状態を確認できるため、表示装置が正確にキャリブレーションされているか否かを確認することができ、正確にキャリブレーションされていないと判断された場合には、更に、正確な表示装置のキャリブレーション状態を維持するためにキャリブレーションを実行することができるため、表示装置を正確な表示装置のキャリブレーション状態を維持することが可能となる。
【発明の効果】
【００２８】
本発明によれば、表示装置の使用時間がキャリブレーション間隔設定時間を経過した場合にテストパターンを表示させることにより、定期的に表示装置のキャリブレーション状態を確認できるため、表示装置が正確にキャリブレーションされているか否かを確認することができる。よって、表示装置のキャリブレーション状態を正確に維持することが可能となる。
【００２９】
また、表示装置の種類に応じてキャリブレーション間隔設定時間が設定できるため、表示装置の種類に応じてキャリブレーション状態を正確に維持することができる。
【発明を実施するための最良の形態】
【００３０】
（１）第１実施形態
以下、本発明の第１実施形態について図面を用いて説明する。
【００３１】
本実施形態は、本発明のキャリブレーション状態確認装置等を所定の表示装置が正確にキャリブレーションされているか否かを確認する際に適用する場合について説明するものである。
【００３２】
なお、キャリブレーション制御装置は、キャリブレーション状態確認装置を含むものであり、以下キャリブレーション制御装置として説明する。
【００３３】
［キャリブレーション制御装置］
まず、本実施形態に係るキャリブレーション制御装置について、図１を用いて概念的に説明する。図１は、本発明のキャリブレーション制御装置１と表示装置２を示す概略図である。
【００３４】
図１に示すように、当該キャリブレーション制御を実行するキャリブレーション制御装置１は、キャリブレーション制御を実行する対象としてのモニタ等の表示装置２とネットワークを介して互いに情報の授受が可能に接続されている。
【００３５】
ここで、表示装置２は、後述するようにキャリブレーション制御装置１に外部接続された表示装置であり、例えば、液晶モニタ、プラズマディスプレイ、ブラウン管、有機ＥＬモニタ等、光の三原色Ｒ（赤）、Ｇ（緑）、Ｂ（青）の加法混色によって色再現を行う表示装置であればよい。
【００３６】
このような構成からなる本実施形態におけるキャリブレーション制御装置１において、まず、表示装置２にキャリブレーションを実行してから次回前記キャリブレーションを実行するまでの時間（キャリブレーション間隔設定時間）を表示装置２の種類に応じて予め設定しておく。表示装置２の使用時間を累積測定し、使用時間が予め設定したキャリブレーション間隔設定時間を経過したか否かを判断し、表示装置２の使用時間が予め設定されたキャリブレーション間隔設定時間を経過したと判断した場合に、三原色ＲＧＢの階調値の組み合わせを指定し、明るさ及び色が均一の均一パターンを生成し、三原色ＲＧＢがそれぞれ最小階調値をもつ第１副領域と、三原色ＲＧＢがそれぞれ最大階調値をもつ第２副領域と、を所定の面積比で混在させた参照パターンを生成する。そして、表示装置２の画面上に第１領域と第２領域とによって構成されるテストパターンを定義し、第１領域内には均一パターンを、第２領域内には参照パターンを、テストパターンとして表示させる（図２参照）。
【００３７】
これにより、表示装置が正確にキャリブレーションされているか否かを確認することができる。
【００３８】
［キャリブレーション制御装置の構造及び機能］
次に、図３を用いて、本実施形態にかかるキャリブレーション制御装置を構成する各部の構造及び機能について説明する。
【００３９】
図３は、本発明のキャリブレーション制御装置の概要構成を示すブロック図である。
【００４０】
同図に示すようにキャリブレーション制御装置１は、演算機能を有するＣＰＵ（Central Processing Unit）、作業用ＲＡＭ（Random Access Memory）、各種データ及びプログラムを記憶するＲＯＭ（Read Only Memory）等から構成され、設定手段、使用時間累積測定手段、判断手段、均一パターン生成手段、参照パターン生成手段、表示制御手段、キャリブレーション実行手段として機能する制御部１１と、記憶部１２と、外部機器接続部１３、を備えて構成されており、制御部１１、記憶部１２、及び外部機器接続部１３はバス１４を介して相互に接続されている。
【００４１】
制御部１１は、図示しないＣＰＵ、作業用ＲＡＭ、本発明のキャリブレーション制御プログラム等を含む各種制御プログラムやデータ等を記憶するＲＯＭ及び発振回路等を備えて構成されており、図示しない操作部からの操作信号に基づいて、当該操作信号に含まれている操作情報に対応する動作を実現すべく上記各構成部材を制御するための制御情報を生成し、バス１４を介して当該制御情報を該当する構成部材に出力して当該各構成部材の動作を統轄制御する。また、制御部１１は、ＲＯＭ等に記憶されたキャリブレーション制御プログラムを実行することにより、他の構成部材と協動して本発明の均一パターン生成手段、参照パターン生成手段、表示手段、使用時間累積測定手段、判断手段、キャリブレーション実行手段として機能するようになっている。
【００４２】
記憶部１２は、表示装置２の表示部に表示すべき情報等を蓄積記憶し、必要に応じて蓄積記憶情報として制御部１１に出力する。
【００４３】
外部接続部１３は、キャリブレーション制御装置１に内蔵されたビデオカード、及び、ＶＧＡケーブル、ＤＶＩケーブル、ＢＮＣケーブルなどを介して表示装置２へ指示信号を送出するためのものである。更に、シリアル方式、ＵＳＢ方式、ＩＥＥＥ１３９４、或いはその他の適宜な方式で測色器からのデータを受信するように構成されている。
【００４４】
［均一パターンと参照パターンについて］
（第１テストパターン）
図２に示すようにテストパターン３は、キャリブレーション制御を実行する対象としての表示装置２の画面上に表示されるものである。具体的には、このテストパターン３は、第１領域１０と第２領域２０とによって構成されている。図示の例では、第１領域１０は円形状の領域であり、第２領域２０はこれを取り囲むような枠状の領域である。
【００４５】
ここで、図４を用いてテストパターン３について詳細に説明する。
【００４６】
第１領域１０には、明るさ及び色が均一な均一パターンを表示させるようにし、第２領域２０内には、所定の参照輝度をもった参照パターンを表示させるようにする。
【００４７】
具体的に説明すると、第１領域１０には明るさ及び色が均一な均一パターン（別言すれば、全画素が同一の階調値（ＲＧＢ値）をもつ）が表示され、三原色ＲＧＢの階調値の組み合わせを利用者がキャリブレーション制御装置１の図示しない入力部を用いた入力操作によって指定することによって生成（構成）されるものである。
【００４８】
第２領域２０には、三原色ＲＧＢがそれぞれ最小階調値（８bits/colorにおけるＲＧＢ値：０）をもつ帯状の第１副領域２１と、三原色ＲＧＢがそれぞれ最大階調値（８bits/colorにおけるＲＧＢ値：２５５）をもつ帯状の第２副領域２２と、を所定の面積比で混在させることにより生成（構成）される。例えば、図示するように、第１領域と第２領域を交互に配置することにより構成される。いわば、白黒のストライプ模様が形成されている。ここで、第１副領域２１と第２副領域２２との面積比を１：１に設定すれば（別言すれば、白黒のストライプの幅がすべて等しくなるように設定すれば）、ここの副領域２１、２２は最低輝度０％もしくは最高輝度１００％で表示されているものの、ある程度の距離だけ離れて目視すれば、擬似的に５０％の輝度で表示されている領域として認識されることとなる。もちろん、そのためには、白黒のストライプの幅を、ある程度小さく設定し、ストライプ模様のパターンの肉眼観察が困難になるようにしておく必要がある。
【００４９】
このように示すテストパターン３において、周囲の枠領域を形成している第２領域２０は、擬似的に５０％の輝度を示す参照パターンとして機能する。
【００５０】
（第２テストパターン）
図５に示すように、テストパターン３の参照パターンは、第１テストパターンとは異なり、第１副領域３１（図における黒いセル）と第２副領域３２（図における白いセル）とによる市松模様をなす。
【００５１】
具体的には、第１副領域３１（黒）と第２副領域３２（白）は、同一の形状及び大きさをもった単位セルによって構成され、この単位セルの二次元配列によって参照パターンが構成される。このように、同一の形状および大きさをもった単位セルの二次元配列によって構成された参照パターンは、ストライプ模様からなる参照パターンに比べて、観察時の擬似的な均一性をより高める効果を有する。利用者による目視測定時には、参照パターンは、ある程度の視距離から観察されることになるので、ストライプ模様のパターンも市松模様のパターンも、実際には、その模様自体が直接利用者に認識されることは無く、いずれもほぼグレーの一様なパターンとして認識される。しかし、市松模様の方が、より細かな単位セルから構成されているため、観察時の均一性はより向上することになる。
【００５２】
（テストパターンを用いたキャリブレーション状態の確認方法について）
階調再現特性（ガンマ特性）を示す指標としてのガンマ値：γを有する表示装置２において、入力信号［In］と表示輝度[Out]の関係は、
[Out] ＝（［In］／２５５）γ
の式で表される。
【００５３】
ここで、例えば、ガンマ値：γ＝１．８、表示輝度５０％の表示装置２は、
０．５＝（［In］／２５５）１．８
であり、この式から入力信号［In］＝１７４となる。
【００５４】
（Ａ）参照パターンの設定について
γ＝１．８にキャリブレーションされた表示装置２において、最大輝度の５０％の輝度を持つグレーを実現するためには、参照パターンは、白色面積率５０％にすればよい。
【００５５】
よって、図４に示すように、白黒のストライプ模様の第１副領域２１と第２副領域２２との面積比を１：１に設定すれば、擬似的に５０％の輝度で表示されている領域として認識されることとなる。
【００５６】
また、図５に示すように、同一の形状及び大きさをもった単位セルによって構成された白黒の市松模様の第１副領域２１と第２副領域２２との面積比を１：１に設定すれば、擬似的に５０％の輝度で表示されている領域として認識されることとなる。
【００５７】
（Ｂ）均一パターンの設定について
γ＝１．８の場合、上記の計算によりＲＧＢ値は１７４にすれば、最大輝度の５０％の輝度を持つグレーを実現することができるため、均一パターンのＲＧＢ値を１７４にする。
【００５８】
ここで、上記（Ａ）（Ｂ）のようにそれぞれ設定した参照パターンと均一パターンが同じ明るさ、色に見えれば、表示装置がγ＝１．８に正確にキャリブレーションされていると判断できることになる。
【００５９】
（その他のテストパターン）
以上テストパターン３について説明したが、より高精度にキャリブレーション状態を確認する場合について説明する。図６は、輝度７５％、５０％、２５％のパターンを表した図である。γ＝１．８にキャリブレーションされた表示装置２における均一パターンのＲＧＢ値は、２１７、１７４、１１８である。このように様々な輝度をもつパターンを表示させることにより、明、暗についてそれぞれキャリブレーション状態を確認することが可能となる。なお、図６では、説明の便宜上、第２副領域を構成する各単位セルの境界線を書いて示してあるが、実際には、この白いセル間の境界線は表示されない。
【００６０】
これらの３通りの参照パターンでは、いずれも、２行２列に配置された４つの単位セルにより１つのセルグループが構成されている。ここで、各セルグループを構成する４つの単位セルのうち、斜めに隣接する一対の単位セルによって第１の副領域（黒）を構成し、残りの一対の単位セルによって第２の副領域（白）を構成すれば、面積比１：１となる図６（Ｂ）に示す参照パターンを構成することができる。また、各セルグループを構成する４つの単位セルのうち、１つの単位セルによって一方の副領域を構成し、残りの３つのセルによって他方の副領域を構成し、面積３：１、もしくは１：３となる参照パターンを構成すれば、図６（Ｃ）もしくは図６（Ａ）に示す参照パターンを構成することができる。いずれの場合も、形成される参照パターンは、２行２列に配置された４つの単位セルからなるセルグループの繰り返しパターンとなるので、擬似的な均一性を十分確保することができる。
【００６１】
［使用時間累積測定について］
続いて、使用時間累積測定について説明する。
【００６２】
使用時間累積測定は、表示装置の使用時間を累積測定するものであり、具体的には、表示装置の電源が入れられた（ＯＮされた）状態において表示装置の使用時間を累積して測定するものとする。表示装置は電源がＯＮされている状態において経時変化による劣化により階調再現特性が変化するため、電源がＯＮされた場合の累積時間を測定し、ある一定の時間が経過した場合にはキャリブレーションを行うものとする。これにより、表示装置の電源が切られた（ＯＦＦされた）状態において経時変化による劣化により階調再現特性が変化することがないため、表示装置の電源がＯＦＦされた場合には使用時間として累積時間の測定は行わないものとする。このように使用時間を累積測定し、その累積時間がキャリブレーション間隔設定時間以上経過したかを判断するためにタイマーを設置しておく。
【００６３】
［キャリブレーション間隔設定時間について］
図７を用いてキャリブレーション間隔設定時間について説明する。
【００６４】
キャリブレーション間隔設定時間とは、キャリブレーションを実行してから次回キャリブレーションを実行するまでの時間をいい、このキャリブレーション間隔設定時間を表示装置の種類に応じて予め設定しておくことにより、表示装置の種類に応じて適切な間隔でキャリブレーション状態の確認を行うことができる。
【００６５】
図７は、表示装置の種類に応じたキャリブレーション間隔設定時間及びスタンバイ時間測定の有無を示す図である。
【００６６】
図７に示すように、例えば、表示装置としては液晶表示装置（ＬＣＤ）、プラズマディスプレイ（ＰＤＰ）、ブラウン管（ＣＲＴ）、有機ＥＬ表示装置等が挙げられ、それぞれの表示装置の性質によって、表示装置の電源が入れられた（ＯＮされた）状態において生じる経時変化による劣化の度合いや、階調再現特性の変化が異なるため、このような表示装置の種類に応じてキャリブレーション間隔設定を行うものとする。
【００６７】
具体的には、表示装置の電源が入れられた（ＯＮされた）状態、つまり、表示装置に具備された照明手段が点灯している状態においては表示装置に経時変化による劣化が生じる。しかし、照明手段が点灯している際に生じる経時変化による劣化の度合いや、階調再現特性の変化も表示装置の種類によって異なる。よって、このような表示装置の種類に応じてキャリブレーション間隔設定を行うものとすることにより種々の表示装置においてキャリブレーション状態を確認でき、適切な状態を維持することができる。
【００６８】
ここで、例えば、キャリブレーション間隔設定時間を、液晶表示装置（ＬＣＤ）は１５００時間、プラズマディスプレイ（ＰＤＰ）は７５０時間、ブラウン管（ＣＲＴ）は５００時間、有機ＥＬ表示装置は１００時間と設定するものとする。このように、入力手段を用いて、それぞれの表示装置の種類によって、キャリブレーション間隔設定時間を任意に設定することができる。
【００６９】
［スタンバイ時間の累積測定について］
図７を用いてスタンバイ時間の累積測定について説明する。
【００７０】
基本的には上記したように、表示装置の電源が入れられた（ＯＮされた）状態においてのみ上記使用時間累積測定手段によりそれぞれの表示装置２の使用時間を累積測定するものである。
【００７１】
ここで、表示装置２に具備された照明手段がスタンバイ状態の場合においても累積測定を行うか否かが問題となる。例えば、図７に示すように、液晶モニタ（ＬＣＤ）、ブラウン管（ＣＲＴ）がスタンバイ状態である場合には、累積測定を行い、プラズマディスプレイ（ＰＤＰ）、有機ＥＬ表示装置がスタンバイ状態である場合には、累積測定を行わないと設定することができる。これも上記と同様に、表示装置２の種類によっては、スタンバイ状態であっても表示装置２の照明手段が稼働している場合があり、このような場合においては経時変化による劣化等が生じてしまう。よって、表示装置２の種類に合わせて表示装置２に具備された照明手段がスタンバイ状態の場合において累積測定を行うか否かを任意に設定することにより、種々の表示装置においてキャリブレーション状態を確認でき、適切な状態を維持することができる。
【００７２】
［キャリブレーション制御処理］
次に、図８を用いてキャリブレーション制御処理について説明する。
図８は、キャリブレーション制御処理を示すフローチャートであり、当該フローチャートにより示される処理は、制御部１１内の図示しないＲＯＭ等の制御に基づいて実行されるものである。
【００７３】
まず、キャリブレーション制御装置１により表示装置２の電源がＯＮされたか否かを判断する（ステップＳ１１）。
【００７４】
具体的には、上述の［使用時間累積測定について］によって説明したように、表示装置２の電源がＯＮされた場合に表示装置２の使用時間を累積測定するため、表示装置２の電源がＯＮされたか否かを判断する。
【００７５】
次に、表示装置２の電源がＯＮされた場合（ステップＳ１１：Ｙｅｓ）には、タイマーを作動させる（ステップＳ１２）。
【００７６】
具体的には、上述の［使用時間累積測定について］によって説明したように、表示装置２の電源がＯＮされた場合に、表示装置２の使用時間を累積測定するため、表示装置２の電源がＯＮされた場合にはタイマーを作動させる。
【００７７】
なお、表示装置２の電源がＯＮされていない場合（ステップＳ１１：Ｎｏ）には、表示装置２の電源がＯＮされるまで待機する。
【００７８】
次に、タイマーにより累積測定された表示装置２の使用時間（タイマーカウント）がキャリブレーション間隔よりも大きいか否かを判断する（ステップＳ１３）。
【００７９】
具体的には、上述の［キャリブレーション間隔設定時間について］によって説明したように、キャリブレーション間隔設定時間を表示装置２の種類に応じて予め設定しておき、それぞれの種類の表示装置２に応じたキャリブレーション間隔設定時間を経過した場合には、後述するようにテストパターンを表示する等によりキャリブレーション状態を確認して、正確なキャリブレーション状態を保つことができるため、表示装置２の種類に応じて予め設定した時間を経過しているか否かの判断を行う。
【００８０】
次に、タイマーにより累積測定された表示装置２の使用時間がキャリブレーション間隔よりも大きい場合（ステップＳ１３：Ｙｅｓ）には、テストパターンを作成し（ステップＳ１４）、作成されたテストパターンを表示装置２の表示部に表示させる（ステップＳ１５）。
【００８１】
具体的には、タイマーにより累積測定された表示装置２の使用時間がキャリブレーション間隔よりも大きい場合には、キャリブレーション状態の確認を行うために、上述の［参照パターンと均一パターンについて］によって説明したような均一パターンと参照パターンを生成する。
【００８２】
更に、表示装置２の画面上に第１領域と第２領域とによって構成されるテストパターン３を定義し、第１領域内には生成した均一パターンを、第２領域内には生成した参照パターンを、テストパターン３として表示する。
【００８３】
これにより、後述するが利用者が目視により表示装置２に表示されたテストパターン３に表示されている参照パターンと均一パターンが同一見えるか否かを判断することができる。
【００８４】
ここで、タイマーカウントがキャリブレーション間隔よりも小さい場合（ステップＳ１３：Ｎｏ）には、表示装置の電源がＯＦＦされたか否かの判断を行う（ステップＳ２１）。
【００８５】
次に、利用者が目視により表示装置２に表示されたテストパターンに表示されている参照パターンと均一パターンが同一に見えたかを判断した結果、利用者によりキャリブレーション制御装置に同一に見えたとの入力がなされたか否かを判断する（ステップＳ１６）。
【００８６】
テストパターンに表示されている参照パターンと均一パターンが同一に見えたとキャリブレーション制御装置１に入力された場合（図２に示すように、ＯＫボタンが押された場合）（ステップＳ１６：Ｙｅｓ）には、テストパターンを消去する（ステップＳ２３）。
【００８７】
参照パターンと均一パターンが同一に見えたということにより、キャリブレーションが正確に行われているということが判断できる。
【００８８】
次に、テストパターンに表示されている参照パターンと均一パターンが同一に見えたとキャリブレーション制御装置に入力されなかった場合（図２に示すように、ＮＧボタンが押された場合）（ステップＳ１６：Ｎｏ）には、テストパターンを消去し（ステップＳ１７）、キャリブレーションを実行し（ステップＳ１８）、プロファイルを作成する（ステップＳ１９）。なお、キャリブレーション実行処理、プロファイル作成処理については、本発明の出願人により出願された特願２００５−１７３８９０号公報を参照するものとする。
【００８９】
次に、タイマーカウントをリセットする（ステップＳ２０）。
【００９０】
キャリブレーションを行った場合には、表示装置２は正確にキャリブレーションを行われた状態であるため、次回キャリブレーションを行うまでの使用時間を累積測定するために、タイマーカウントをリセットし、新たに累積測定を開始する。
【００９１】
次に、表示装置２の電源がＯＦＦされたか否かの判断をする（ステップＳ２１）。
【００９２】
具体的には、表示装置２の電源がＯＮされた状態において表示装置２の使用時間を累積して測定するものであるため、表示装置２の電源がＯＦＦされていれば、表示装置２の使用時間を累積して測定する必要はないためである。
【００９３】
次に、表示装置２の電源がＯＦＦされた場合（ステップＳ２１：Ｙｅｓ）には、タイマーを停止する（ステップＳ２２）。
【００９４】
具体的には、表示装置２の電源がＯＮされた場合に表示装置２の使用時間を累積して測定するものであるため、表示装置２の電源がＯＦＦされた場合には使用時間の累積測定を一時中断するものとする。
【００９５】
次に、表示装置２の電源がＯＦＦされなかった場合（ステップＳ２１：Ｎｏ）には、タイマーを作動させ（ステップＳ１２）、これ以降上記同様の処理を行う。
【００９６】
具体的には、表示装置２の電源がＯＮされた場合に表示装置２の使用時間を累積して測定するものであるため、表示装置２の電源がＯＮされている間は使用時間を累積して測定するものとする。
【００９７】
（２）第２実施形態
以下、本発明の第２実施形態について図面を用いて説明する。
【００９８】
例えば、Ｗｅｂカタログ等、現物を見ずに、モニタ等の表示装置２で商品を確認し購入するような場合、商品の色が表示装置２上で正確に表現されることが必要であるため、所定の表示装置２が正確にキャリブレーションされているか否かを判断する必要がある。
【００９９】
このような場合に本発明のキャリブレーション制御装置１を適用する場合について説明するものである。
【０１００】
なお、上記第１実施形態とは異なる形態であるが、基本的には同様の動作を行うものであるため、ここでは特に異なる部分について詳細に説明する。
【０１０１】
［キャリブレーション制御装置］
まず、表示装置２がネットワークを介して所定の画像を受信して前記画像を表示した場合に、三原色ＲＧＢの階調値の組み合わせを指定し、明るさ及び色が均一の均一パターンを生成し、三原色ＲＧＢがそれぞれ最小階調値をもつ第１副領域と、三原色ＲＧＢがそれぞれ最大階調値をもつ第２副領域と、を所定の面積比で混在させた参照パターンを生成する。そして、表示装置２の画面上に第１領域と第２領域とによって構成されるテストパターンを定義し、前記第１領域内には前記均一パターンを、第２領域内には前記参照パターンを、テストパターンとして表示させる（図９参照）。
【０１０２】
これにより、簡易な手法で、表示装置２が正確にキャリブレーションされているかどうかを確認することができる。
【０１０３】
［キャリブレーション制御処理］
次に、図１０を用いてキャリブレーション制御処理について説明する。
図１０は、キャリブレーション制御処理を示すフローチャートであり、当該フローチャートにより示される処理は、制御部１１内の図示しないＲＯＭ等の制御に基づいて実行されるものである。
【０１０４】
まず、表示装置２がネットワークを介して所定の画像を受信して画像を表示したか否かを判断する（ステップＳ５１）。
【０１０５】
表示装置２がネットワークを介して所定の画像を受信して画像を表示した場合（ステップＳ５１：Ｙｅｓ）には、テストパターン３を作成し（ステップＳ５２）、作成されたテストパターン３を表示装置２の表示部に表示させる（ステップＳ５３）。
【０１０６】
これ以降の動作は第１実施形態と同様である。
【０１０７】
以上説明したように、Ｗｅｂカタログ等、現物を見ずに、表示装置で商品を確認し購入するような場合、商品の色が表示装置上で正確に表現されることが必要であり、所定の表示装置が正確にキャリブレーションされているか否かを判断する必要がある。
【０１０８】
表示装置がネットワークを介して所定の画像を受信して画像を表示した場合に、テストパターンを作成し、作成されたテストパターンを表示装置の表示部に表示させることによって、表示装置がネットワークを介して所定の画像を受信して画像を表示したタイミングで、商品の色が表示装置上で正確に表現されているか否か（表示装置が正確にキャリブレーションされているか否か）を確認することができる。よって、商品の色が表示装置上で正確に表現されているか否かを確認した後に商品を購入することができる。
【０１０９】
（３）第３実施形態
以下、本発明の第３実施形態について図面を用いて説明する。
【０１１０】
本実施形態は、上記第１実施形態とは異なる形態であるが、基本的には同様の動作を行うものであるため、ここでは特に異なる部分について詳細に説明する。
【０１１１】
［キャリブレーション制御装置］
まず、表示装置２にキャリブレーションを実行してから次回前記キャリブレーションを実行するまでの時間（キャリブレーション間隔設定時間）を表示装置２の種類に応じて予め設定しておく。表示装置２の使用時間を累積測定し、表示装置２の使用時間が予め設定されたキャリブレーション間隔設定時間を経過し、かつ、表示装置２がネットワークを介して所定の画像を受信して画像を表示した場合に、三原色ＲＧＢの階調値の組み合わせを指定し、明るさ及び色が均一の均一パターンを生成し、三原色ＲＧＢがそれぞれ最小階調値をもつ第１副領域と、三原色ＲＧＢがそれぞれ最大階調値をもつ第２副領域と、を所定の面積比で混在させた参照パターンを生成する。そして、表示装置２の画面上に第１領域と第２領域とによって構成されるテストパターンを定義し、前記第１領域内には前記均一パターンを、第２領域内には前記参照パターンを、テストパターンとして表示させる（図９参照）。
【０１１２】
これにより、簡易な手法で、表示装置２が正確にキャリブレーションされているかどうかを確認することができる。
【０１１３】
［キャリブレーション制御処理］
次に、図１１を用いてキャリブレーション制御処理について説明する。
【０１１４】
図１１は、キャリブレーション制御処理を示すフローチャートであり、当該フローチャートにより示される処理は、制御部１１内の図示しないＲＯＭ等の制御に基づいて実行されるものである。
【０１１５】
まず、キャリブレーション制御装置１により表示装置２の電源がＯＮされたか否かを判断し（ステップＳ６１）、表示装置２の電源がＯＮされた場合（ステップＳ６１：Ｙｅｓ）には、タイマーを作動させる（ステップＳ６２）。
【０１１６】
次に、タイマーにより累積測定された表示装置２の使用時間がキャリブレーション間隔よりも大きいか否かを判断し（ステップＳ６３）、累積測定された表示装置２の使用時間がキャリブレーション間隔よりも大きい場合（ステップＳ６３：Ｙｅｓ）には、表示装置２がネットワークを介して所定の画像を受信して画像を表示したか否かを判断する（ステップＳ６４）。
【０１１７】
表示装置２がネットワークを介して所定の画像を受信して画像を表示した場合（ステップＳ６４：Ｙｅｓ）には、テストパターン３を作成し（ステップＳ６５）、作成されたテストパターン３を表示装置２の表示部に表示させる（ステップＳ６６）。
【０１１８】
これ以降の動作は第１実施形態と同様である。
【０１１９】
以上説明したように、Ｗｅｂカタログ等、現物を見ずに、表示装置で商品を確認し購入するような場合、商品の色が表示装置上で正確に表現されることが必要であり、所定の表示装置が正確にキャリブレーションされているか否かを判断する必要がある。
【０１２０】
表示装置の使用時間が予め表示装置の種類に応じて設定されたキャリブレーション間隔設定時間を経過し、かつ、表示装置がネットワークを介して所定の画像を受信して画像を表示した場合に、テストパターンを作成し、作成されたテストパターンを表示装置の表示部に表示させることによって、表示装置の種類に応じて定期的に表示装置が正確にキャリブレーションされているか否かを確認することができることに加えて、表示装置がネットワークを介して所定の画像を受信して画像を表示したタイミングで、商品の色が表示装置上で正確に表現されているか否か（表示装置が正確にキャリブレーションされているか否か）を確認することができる。よって、商品の色が表示装置上で正確に表現されているか否かを確認した後に商品を購入することができる。
【０１２１】
なお、本実施形態においては、表示装置の使用時間が予め設定されたキャリブレーション間隔設定時間を経過し、かつ、表示装置がネットワークを介して所定の画像を受信して画像を表示した場合に、テストパターンを作成し、表示する場合について説明したが、予め設定されたキャリブレーション間隔設定時間を経過していない場合においても、表示装置がネットワークを介して所定の画像を受信して画像を表示した場合には、キャリブレーションを実行すると設定することによりキャリブレーションを実行するようにしてもよい。
【図面の簡単な説明】
【０１２２】
【図１】本発明のキャリブレーション制御装置と表示装置を示す概略図である。
【図２】表示装置の表示部に表示されたテストパターンを示す概略図である。
【図３】本発明のキャリブレーション制御装置の概略構成を示すブロック図である。
【図４】テストパターン内の第１領域内に表示される均一パターン及び第２領域内に表示される参照パターンを示す概略図である。
【図５】テストパターン内の第１領域内に表示される均一パターン及び第２領域内に表示される参照パターンを示す概略図である。
【図６】テストパターン内の第１領域内に表示される均一パターン及び第２領域内に表示される参照パターンを示す概略図である。
【図７】表示装置の種類に応じたキャリブレーション間隔設定時間及びスタンバイ時間測定の有無を示す図である。
【図８】本発明のキャリブレーション制御処理を示すフローチャートである。
【図９】表示装置の表示部に表示されたテストパターンを示す概略図である。
【図１０】本発明のキャリブレーション制御処理を示すフローチャートである。
【図１１】本発明のキャリブレーション制御処理を示すフローチャートである。
【符号の説明】
【０１２３】
１・・・キャリブレーション制御装置
２・・・表示装置
３・・・テストパターン
１１・・・制御部
１２・・・記憶部
１３・・・外部機器接続部
１４・・・バス
１０・・・第１領域
２０・・・第２領域
２１・・・第１副領域
２２・・・第２副領域
３１・・・第１副領域
３２・・・第２副領域
【図１】
2007101901.tif 000003
【図２】
2007101901.tif 000004
【図３】
2007101901.tif 000005
【図４】
2007101901.tif 000006
【図５】
2007101901.tif 000007
【図６】
2007101901.tif 000008
【図７】
2007101901.tif 000009
【図８】
2007101901.tif 000010
【図９】
2007101901.tif 000011
【図１０】
2007101901.tif 000012
【図１１】
2007101901.tif 000013